(57)【要約】自動取引装置に、利用者に関する複数の属性情報に対応付けられた少なくとも１つの広告が登録され、自動取引装置を利用した各種取引の過程において、自動取引装置は、利用者の属性情報に対応する広告を表示し、さらに、その広告に対するクーポンを発行する。このようにして、自動取引装置を広告媒体として利用することができる。特に、自動取引装置は、キャッシュカードのような取引媒体に記憶される情報に基づいて、利用者の属性情報を取得することができ、その属性情報に対応する広告を表示することで、ターゲットを絞った有効な広告が可能となる。さらに、自動取引装置は、広告の表示及びクーポンの発行に対して課金するために、広告の表示件数及びクーポンの発行件数を積算し、管理する。
2003034356.tif 000002
【特許請求の範囲】
【請求項１】
利用者の識別情報を記憶する取引媒体を利用して、当該利用者と所定の取引を実行する自動取引装置による広告提供方法において、
前記取引媒体に記憶される前記識別情報を読み出し、
前記取引媒体から読み出された識別情報に対応する利用者の属性情報を、前記自動取引装置とネットワークを介して接続するホストコンピュータから取得し、
複数の属性情報それぞれに対して登録される複数の広告から前記属性情報に対応する広告を表示することを特徴とする広告提供方法。
【請求項２】
請求の範囲１において、
前記自動取引装置は、前記広告を表示する度に、前記広告の表示件数を積算し、
前記ホストコンピュータは、前記表示件数を前記自動取引装置から取得し、所定期間経過時に、前記表示件数に対応する課金情報を作成することを特徴とする広告提供方法。
【請求項３】
請求の範囲２において、
前記広告が前記複数の属性情報に対して登録されている場合、各属性情報ごとに、前記広告の表示件数を積算することを特徴とする広告提供方法。
【請求項４】
請求の範囲１において、
前記属性情報について複数の広告が登録されている場合、各広告に対してあらかじめ設定された優先度に応じて、一つの広告を選択し、当該広告を表示することを特徴とする広告提供方法。
【請求項５】
請求の範囲１乃至４のいずれかにおいて、
前記自動取引装置は、前記広告の表示後、前記広告に対応するクーポンを発行することを特徴とする広告提供方法。
【請求項６】
請求の範囲５において、
前記自動取引装置は、前記クーポンを発行する度に、前記クーポンの発行件数を積算し、
前記ホストコンピュータは、前記発行件数を前記自動取引装置より取得し、所定期間経過時に、前記発行件数に対応する課金情報を作成することを特徴とする広告提供方法。
【請求項７】
請求の範囲６において、
前記広告及びそれに対応するクーポンが前記複数の属性情報に対して登録されている場合、各属性情報ごとに、前記広告の表示件数及び前記クーポンの発行件数を積算することを特徴とする広告提供方法。
【請求項８】
請求の範囲５乃至７のいずれかにおいて、
前記自動取引装置は、前記クーポンの所定用紙への印刷又は前記取引媒体へのデータ登録のいずれかにより、前記クーポンを発行することを特徴とする広告提供方法。
【請求項９】
請求の範囲８において、
前記自動取引装置は、前記クーポンの発行件数を、前記印刷による発行又は前記データ登録による発行ごとに積算することを特徴とする広告提供方法。
【請求項１０】
請求の範囲１乃至９のいずれかにおいて、
前記属性情報は、前記利用者の年齢、性別、及び所定の金融機関に設定された預金口座の残高の少なくとも一つを含むことを特徴とする広告提供方法。
【請求項１１】
請求の範囲１乃至１０のいずれかにおいて、
前記取引媒体は、ＩＣカードであることを特徴とする広告提供方法。
【請求項１２】
利用者の識別情報を記憶する取引媒体を利用して、当該利用者と所定の取引を実行する自動取引装置において、
前記取引媒体に記憶される前記識別情報を読み出す読出部と
前記取引媒体から読み出された識別情報に対応する利用者の属性情報を、前記自動取引装置とネットワークを介して接続するホストコンピュータから取得する取得部と、
複数の属性情報それぞれに対応付けられた少なくとも一つの広告を格納する格納部と、
前記格納部に格納される広告から前記属性情報に対応する広告を表示する表示部とを備えることを特徴とする自動取引装置。
【請求項１３】
請求の範囲１２において、
前記広告を表示する度に、前記広告の表示件数を積算する計算部を備え、
前記計算部は、所定期間経過時に前記表示件数に対応する課金情報を作成する前記ホストコンピュータに、前記表示件数を送信することを特徴とする自動取引装置。
【請求項１４】
請求の範囲１３において、
前記計算部は、前記広告が前記複数の属性情報に対して登録されている場合、各属性情報ごとに、前記広告の表示件数を積算することを特徴とする自動取引装置。
【請求項１５】
請求の範囲１２において、
前記表示部は、前記属性情報について複数の広告が登録されている場合、各広告に対してあらかじめ設定された優先度に応じて、一つの広告を選択し、当該広告を表示することを特徴とする自動取引装置。
【請求項１６】
請求の範囲１２において、さらに、
前記広告の表示後、前記広告に対応するクーポンを発行する発行部を備えることを特徴とする自動取引装置。
【請求項１７】
請求の範囲１６において、
前記クーポンを発行する度に、前記クーポンの発行件数を積算する計算部を備え、
前記計算部は、所定期間経過時に前記発行件数に対応する課金情報を作成する前記ホストコンピュータに、前記発行件数を送信することを特徴とする自動取引装置。
【請求項１８】
請求の範囲１７において、
前記計算部は、前記広告及びそれに対応するクーポンが前記複数の属性情報に対して登録されている場合、各属性情報ごとに、前記広告の表示件数及び前記クーポンの発行件数を積算することを特徴とする自動取引装置。
【請求項１９】
請求の範囲１６において、
前記発行部は、前記クーポンの所定用紙への印刷又は前記取引媒体へのデータ登録のいずれかにより、前記クーポンを発行することを特徴とする自動取引装置。
【請求項２０】
請求の範囲１９において、
前記計算部は、前記クーポンの発行件数を、前記印刷による発行又は前記データ登録による発行ごとに積算することを特徴とする自動取引装置。
【請求項２１】
請求の範囲１２において、
前記属性情報は、前記利用者の年齢、性別、及び所定の金融機関に設定された預金口座の残高の少なくとも一つを含むことを特徴とする自動取引装置。
【請求項２２】
請求の範囲１２において、
前記取引媒体は、ＩＣカードであることを特徴とする自動取引装置。
【請求項２３】
利用者と所定の取引を実行する取引システムにおいて、
前記利用者の識別情報を記憶する取引媒体を受け付ける自動取引装置と、
前記自動取引装置とネットワークを介して接続し、利用者の属性情報を格納するホストコンピュータとを備え、
前記自動取引装置は、
前記取引媒体に記憶される前記識別情報を読み出す読出部と
前記取引媒体から読み出された識別情報に対応する利用者の属性情報を、前記ホストコンピュータから取得する取得部と、
複数の属性情報それぞれに対応付けられた少なくとも一つの広告を格納する格納部と、
前記格納部に格納される広告から前記属性情報に対応する広告を表示する表示部とを備えることを特徴とする取引システム。
【請求項２４】
請求の範囲２３において、さらに、
前記自動取引装置は、前記広告の表示後、前記広告に対応するクーポンを発行することを特徴とする取引システム。
【発明の詳細な説明】
［技術分野］
本発明は、例えば、銀行などの金融機関において、現金の入出金などの取引を自動的に行う自動取引装置による広告提供方法に関する。
［背景技術］
銀行などの金融機関では、現金の入出金取引や振込取引などを自動的に実行する現金自動預け払い機（ＡＴＭ）や、現金の出金取引を自動的に行う現金自動支払機（ＣＤ）などの自動取引装置が普及している。顧客は、自動取引装置にキャッシュカードのような取引のための情報を記憶する取引媒体を挿入し、取引画面に表示される指示に従って、暗証番号や取引金額など所定の取引情報を入力すると、自動取引装置は、通信回線により接続されたホストコンピュータと交信しながら、自動的に入金処理、出金処理などの取引を実行する。
このような自動取引装置は、日々、多くの顧客に利用されるので、有効な広告媒体となりうる。
［発明の開示］
本発明の目的は、自動取引装置を利用した広告提供方法を提供することにある。
上記目的を達成するための本発明の第１の広告提供方法は、利用者の識別情報を記憶する取引媒体を利用して、当該利用者と所定の取引を実行する自動取引装置による広告提供方法において、
前記取引媒体に記憶される前記識別情報を読み出し、
前記取引媒体から読み出された識別情報に対応する利用者の属性情報を、前記自動取引装置とネットワークを介して接続するホストコンピュータから取得し、
複数の属性情報それぞれに対して登録される複数の広告から前記属性情報に対応する広告を表示することを特徴とする。
本発明の第２の広告提供方法は、上記第１の広告提供法方法において、
前記自動取引装置は、前記広告を表示する度に、前記広告の表示件数を積算し、
前記自動取引装置又は前記表示件数を前記自動取引装置から取得した前記ホストコンピュータが、所定期間経過時に、前記表示件数に対応する課金情報を作成することを特徴とする。
本発明の第３の広告提供方法は、上記第２の広告提供方法において、
前記広告が前記複数の属性情報に対して登録されている場合、各属性情報ごとに、前記広告の表示件数を積算することを特徴とする。
本発明の第４の広告提供方法は、上記第１の広告提供方法において、
前記属性情報について複数の広告が登録されている場合、各広告に対してあらかじめ設定された優先度に応じて、一つの広告を選択し、当該広告を表示することを特徴とする。
本発明の第５の広告提供方法は、上記第１の広告提供方法において、
前記自動取引装置が、前記広告の表示後、前記広告に対応するクーポンを発行することを特徴とする。
本発明の第６の広告提供方法は、上記第５の広告提供方法において、
前記自動取引装置が、前記クーポンを発行する度に、前記クーポンの発行件数を積算し、
前記自動取引装置又は前記発行件数を前記自動取引装置より取得した前記ホストコンピュータが、所定期間経過時に、前記発行件数に対応する課金情報を作成することを特徴とする。
本発明の第７の広告提供方法は、上記第６の広告提供方法において、
前記広告及びそれに対応するクーポンが前記複数の属性情報に対して登録されている場合、各属性情報ごとに、前記広告の表示件数及び前記クーポンの発行件数を積算することを特徴とする。
本発明の第８の広告提供方法は、上記第５の広告提供方法において、
前記自動取引装置が、前記クーポンの所定用紙への印刷又は前記取引媒体へのデータ登録のいずれかにより、前記クーポンを発行することを特徴とする。
本発明の第９の広告提供方法は、上記第８の広告提供方法において、
前記自動取引装置が、前記クーポンの発行件数を、前記印刷による発行又は前記データ登録による発行ごとに積算することを特徴とする。
本発明の第１０の広告提供方法は、上記第１の広告提供方法において、
前記属性情報が、前記利用者の年齢、性別、及び所定の金融機関に設定された預金口座の残高の少なくとも一つを含むことを特徴とする。
本発明の第１１の広告提供方法は、上記第１の広告提供方法において、
前記取引媒体が、ＩＣカードであることを特徴とする。
また、上記各広告提供方法を実施する自動取引装置及びそれにネットワークを介して接続するホストコンピュータが提供される。
［発明を実施するための最良の形態］
以下、本発明の実施の形態について図面に従って説明する。しかしながら、本発明の技術的範囲はかかる実施の形態によって限定されるものではない。
図１は、本発明の実施の形態における自動取引装置及びホストコンピュータのブロック構成図である。自動取引装置及びホストコンピュータにより取引システムを構成する。自動取引装置１の制御部１０は、現金預かり取引、現金支払い取引などの各取引を、通信部１１を通じてホストコンピュータ２と通信しながら処理する。表示部１２は、取引工程に従った案内情報などを表示する。取引媒体処理部１３は、カード口から挿入された取引媒体すなわちキャッシュカード（及び／又は通帳口から挿入される通帳）から、口座番号などの顧客データを取得する。キャッシュカードは、例えば、磁気カードやＩＣカードである。磁気カードは、プラスチックカードに付された磁気ストライプに上記顧客データなどを記憶する。また、ＩＣカードは、プラスチックカードに埋め込まれたＣＰＵとメモリを内蔵するＬＳＩチップに上記顧客データなどを記憶する。ＩＣカードは、磁気カードと比較して、高いセキュリティを確保でき、また、大容量のデータを記憶できる。
印刷処理部１４は、取引明細などを印字し、カード口からキャッシュカードとともに取引明細レシートを排出する。操作部１５は、テンキーや表示部１２に設けられたタッチパネルなどにより構成され、顧客は、操作部１５から、暗証番号やその他必要なデータを入力する。現金処理部１６は、顧客から要求された金額の現金を現金収納部１７から払い出したり、顧客から預け入れられた現金を現金収納部１６に収納する処理を行う。また、自動取引装置１は、後述するように、広告及びクーポンの情報、さらには、課金情報などを格納する広告関連データベース（ＤＢ）１８を備える。
ホストコンピュータ２の制御部２０は、通信部２１を通じて自動取引装置１と通信しながら、自動取引装置１から送信される暗証番号の照合処理や、取引履歴を作成して顧客データベース２２に格納する処理など各取引の管理業務を行う。顧客データベース２２は、顧客の暗証番号などの顧客データや顧客毎の取引履歴などの取引データを格納する。
このような構成において、本発明の実施の形態では、顧客が自動取引装置を利用して取引を行っている時に、自動取引装置は、画面に広告を表示し、さらに、その広告に対応したクーポン（割引券など）を発行する。そして、好ましくは、自動取引装置は、広告のスポンサーに対する課金情報を管理する。以下、本実施の形態を、（１）広告及びそれに対応するクーポンの情報の登録、（２）広告表示及びクーポン発行、（３）利用履歴情報の作成及び課金管理、に従って説明する。
（１）広告及びクーポンの情報の登録
図２は、広告及びクーポンの情報の登録を説明する図である。図２において、広告及びクーポンの情報は、各広告のスポンサーから提供される。具体的には、広告及びクーポンの情報は、広告のスポンサーから提供される記憶媒体（フロッピーディスク（ＦＤ）やＣＤ−ＲＯＭなど）に格納され、自動取引装置１を操作するオペレータが、所定の操作に従って、記憶媒体に記憶されている広告及びクーポンの内容情報を、広告関連データベース１８に登録する。または、広告及びクーポンの内容情報は、スポンサーにより運用されているサーバに格納され、自動取引装置１を操作するオペレータが、所定の操作に従って、サーバに格納されている広告及びクーポンの内容情報をネットワークを介してダウンロードして、広告関連データベース１８に登録してもよい。
図３は、広告及びクーポン情報テーブルの例である。広告関連データベース１８に格納される広告及びクーポン内容情報は、各広告について、広告を識別する広告ＩＤと、それに対応する広告内容データ、さらに、その広告に対応するクーポンを識別するクーポンＩＤ及びそれに対応するクーポン内容データとを有する。後に詳述するように、自動取引装置１を利用する顧客の属性により異なるクーポンを発行するために、一つの広告について、複数のクーポンが登録されてもよい。各広告を提供するスポンサー名も、この広告及びクーポン内容情報テーブルに登録される。
図４は、広告及びクーポン選択テーブルの例である。本実施の形態の自動取引装置１は、顧客の属性に従って最適な広告及びクーポンを提供するための広告及びクーポン選択テーブル（以下、選択テーブルという）を、広告関連データベース１８に格納する。選択テーブルには、各広告ＩＤ又はクーポンＩＤについて、顧客の属性情報が登録される。顧客の属性情報は、例えば、顧客の年齢、性別、預金残高などである。この属性情報は、例えば、入金又は出金取引においてキャッシュカードから読み出された口座番号などの顧客データを利用して、金融機関のホストコンピュータとの交信により取得することができる。
さらに、選択テーブルは、広告及びクーポンを提供する有効期間や優先度も登録可能である。優先度は、同じ属性情報に対応する広告が複数登録される場合に、その広告を優先して表示する度合いを表す。例えば、図示されるように、ある属性情報について３つの広告が登録されると、それぞれの優先度が７０％、２０％、、１０％のように、当該属性情報についての優先度が合計１００％となるように、各広告の優先度が設定される。自動取引装置１は、複数の広告が登録された属性情報に対応する広告を表示する際、乱数などでを利用して、表示確率が当該優先度になるように、表示する広告を選択する。なお、ある属性情報について１つの広告のみが登録された場合の優先度は、１００％である。この選択テーブルに登録される情報は、各広告を提供するスポンサーにより指定される。
（２）広告表示及びクーポン発行
図５は、本発明の実施の形態における広告表示及びクーポン発行処理のフローチャートである。以下、出金取引を例に説明する。また、図６乃至図１３は、取引過程で表示される画面の例である。顧客が、タッチパネル機能を有する表示部１２の初期画面（図６参照）に表示される複数の取引処理の中から「出金」部分に接触することにより、出金取引が開始する。自動取引装置は、カード口から顧客によって挿入される取引媒体（キャッシュカードなど）を受け付ける（Ｓ１０）。自動取引装置１は、取引媒体に記憶されている顧客データを読み取る（Ｓ１１）。顧客データは、少なくとも顧客の口座番号を含み、さらに顧客の氏名などの個人情報を含んでいてもよい。
自動取引装置１は、図７に示す暗証番号入力画面を表示部１２に表示し、顧客により入力される暗証番号を取得する（Ｓ１２）。さらに、自動取引装置１は、図８に示す出金金額入力画面を表示部１２に表示し、顧客により入力される出金金額を取得する（Ｓ１３）。
自動取引装置１は、取引媒体が読み取った顧客データ、入力された暗証番号及び出金金額を金融機関のホストコンピュータ２に送信する。ホストコンピュータ２から返信が来るまで、図９に示す待機画面が表示される。
ホストコンピュータ２は、暗証番号の認証処理と出金承認処理（出金金額が口座残高以下かどうか確認）とを実行し（Ｓ１４）、その結果としての出金許可（ＯＫ）／不許可（ＮＧ）情報、取引明細（出金金額、取引後残高、取引後残高、取引日時など）、さらに、当該顧客の属性情報（上記図３の選択テーブルにおける顧客の属性情報の項目）を自動取引装置１に返信する。出金許可の場合、自動取引装置１の現金処理部１６は、出金金額分の現金を現金収納部１７から払い出し（Ｓ１５）、印刷処理部１４は、取引明細を印刷したレシートを出力する（Ｓ１６）。なお、不許可の場合は、所定のエラー情報が表示部１２に表示される。
そして、自動取引装置１は、現金払い出し及びレシート出力後、取引媒体（キャッシュカード）返却前に、図１０に示す広告案内画面を表示部１２に表示し、広告の表示を尋ねる（Ｓ１７）。顧客が広告利用を希望する場合（「はい」が選択される場合）、自動取引装置１は、ホストコンピュータ２から取得した顧客の属性情報に従って、選択テーブルを検索し、その属性情報を満足する広告を選択し（Ｓ１８）、選択された広告を表示する（Ｓ１９）。属性情報を満足する広告が複数ある場合は、それらの優先度に応じて、いずれか一つを選択する。
図１１は、広告画面の例である。広告画面には、選択された広告が表示される。顧客は、図１１の広告画面により、表示される広告に対応するクーポンを表示させるかどうかを選択することができる（Ｓ２０）。具体的には、顧客は、表示された広告に興味なければ、画面上の「終了」を選択する（「終了」表示部分にタッチする）。これにより、キャッシュカードが返却され、取引が終了する（Ｓ２５）。一方、顧客が広告内容に対応するクーポンを表示させたい場合は、「便利なクーポン情報」を選択する。そうすると、自動取引装置１は、選択テーブルに従って、表示されている広告に対応するクーポンを表示する（Ｓ２１）。
図１２は、クーポン画面の例である。クーポン画面には、表示した広告に対応するクーポンが表示される。クーポンは、図示されるように、例えば、商品の値引き（割引）券である。顧客は、表示されたクーポンを発行（クーポンの印刷出力又はクーポンデータのキャッシュカードへの登録）させるかどうかを選択することができる（Ｓ２２）。クーポンが必要なければ、図１２の画面上の「終了」表示部分をタッチする。これにより、キャッシュカードが返却され、取引が終了する（Ｓ２５）。
顧客が表示されたクーポンの発行を希望する場合は、図１２の画面上の「クーポン印刷」又は「クーポンをカードに登録」の表示部分のいずれかをタッチして、発行方法を選択する。「クーポン印刷」が選択された場合、自動取引装置１は、クーポンを、出金取引などの取引明細を印刷するレシート用紙に印刷して発行する（Ｓ２３）。もちろん、クーポン印刷用の用紙が用意され、それにクーポンが印刷されて発行されてもよい。また、複数のクーポンが表示される場合、顧客は所望のクーポンの表示部分をタッチすることで、発行させるクーポンを選択することができる。
図１４は、レシート用紙に印刷されたクーポンの例である。図示されるように、クーポンは、例えば、レシート用紙の備考欄に印刷される。クーポン印刷出力後、キャッシュカードを返却して、取引が終了する（Ｓ２５）。
「クーポンをカードに登録」が選択されると、自動取引装置１は、表示されている（さらに選択されている）クーポンのデータ（クーポンデータ）を、キャッシュカードのデータ格納領域に登録する（Ｓ２４）。クーポンデータは、少なくとも▲１▼スポンサー名、▲２▼クーポン内容、▲３▼有効期間のデータを含む。その後、クーポンデータが登録されたキャッシュカードを返却して、取引が終了する（Ｓ２５）。
図１３は、取引終了画面の例である。取引終了画面には、キャッシュカードの返却案内と、クーポンを発行した場合におけるクーポンの利用方法を確認するためのクーポン利用案内とが表示される。
顧客は、印刷されたクーポン又はキャッシュカードに格納されたクーポンの提供スポンサーの店舗において、そのクーポンを利用することで、クーポンの内容に対応するサービスを受けることができる。例えば、クーポンが商品の割引券の場合、印刷されたクーポンを精算時にクーポンを店員に提示することで、その商品の割引を受けることができる。また、クーポンデータがキャッシュカードに格納されている場合、そのキャッシュカード読み取り可能な精算端末（ＰＯＳ端末など）で、クーポンデータを読み取ることで、スポンサーの店舗に配置された精算端末は、精算時に、スポンサー名と有効期間を確認して、クーポンデータに対応する割引（値引き）処理を実行する。割引（値引き）処理後、精算端末は、キャッシュカード内に格納されているクーポンデータを消去してもよいし、そのまま残してもよい。クーポンデータを残す場合、クーポンデータ内の有効期限が来るまで、そのクーポンデータのクーポン内容を何回でも利用できる。
（３）利用履歴情報の作成及び課金管理
自動取引装置１は、広告及びクーポンの表示に対する利用履歴情報を作成し、それに基づいた課金管理が行われる。
図１５は、利用履歴情報の例である。自動取引装置１は、各スポンサー毎に利用履歴情報を作成する。利用履歴情報は、１日ごとの広告表示件数、クーポン発行件数を登録し、好ましくは、図示されるように、顧客の属性区分別に登録されている。また、クーポンの発行件数は、印刷の場合（「紙クーポン」発行）と、キャッシュカードへの登録の場合（「カードクーポン」発行）に分けて登録される。自動取引装置１は、広告を表示する毎、及びクーポンを出力毎に、それぞれ広告表示件数、及びクーポン発行件数を積算して、利用履歴情報を更新する。
利用履歴情報は、さらに、各件数の一定期間（例えば１ヶ月）における集計データを有していてもよいし、また、広告表示期間（有効期間）の合計データを有していてもよい。作成された利用履歴情報は、自動取引装置１により管理され、広告表示期間終了後に、ホストコンピュータ２に送信される。ホストコンピュータ２は、すべての自動取引装置１の利用履歴情報を集計して、各スポンサーに対する請求金額（課金情報）を計算する。また、自動取引装置１は、利用履歴情報をホストコンピュータ２に定期的（例えば、１日毎）に送信して、ホストコンピュータ２が、利用履歴情報を管理してもよい。さらに、上記集計データ及び合計データは、ホストコンピュータ２側で作成されてもよい。
ホストコンピュータ２は、一定期間毎又は広告表示期間終了後に、上記利用履歴情報に基づいて、各スポンサーに対する請求金額を計算する。
図１６は、料金テーブルの一例である。図１６において、基本料金は、有効期間内における広告やクーポンの表示件数に関わらない固定的な料金である。好ましくは、基本料金は、図４の選択テーブルにおける属性区分１つあたりの金額であって、さらに、優先度を考慮して、一定料金に優先度を乗算した金額としてもよい。従量料金として、広告表示１件あたりの料金、クーポン印刷発行１件あたりの料金、クーポンデータ登録発行１件あたりの料金が設定される。ホストコンピュータ２は、計算した請求金額を請求する請求書を作成し、作成された請求書は、スポンサーに送られる。また、上記利用履歴情報も、利用者の広告及びクーポンの利用状況資料として、スポンサーにとって有価値な資料であり、スポンサーに送られる。スポンサーは、この利用履歴情報を利用して、有効な宣伝広告活動が可能となる。
上記実施の形態において、自動取引装置を利用した取引は、キャッシュカードを利用した入金、出金などの取引に限られず、例えば、取引媒体の一つであるクレジットカードを利用したキャッシング取引や商品購入取引であってもよい。また、自動取引装置は、金融機関の店舗に設置されるＡＴＭに限られず、例えば、コンビニエンスストアに設置される多目的取引端末などであってもよい。
［産業上の利用の可能性］
以上説明したように、本発明によれば、自動取引装置に、利用者に関する複数の属性情報に対応付けられた少なくとも１つの広告が登録され、自動取引装置を利用した各種取引の過程において、自動取引装置は、利用者の属性情報に対応する広告を表示し、さらに、その広告に対するクーポンを発行する。このようにして、自動取引装置を広告媒体として利用することができる。特に、自動取引装置は、取引媒体に記憶される情報に基づいて、利用者の属性情報を取得することができ、その属性情報に対応する広告を表示することで、ターゲットを絞った有効な広告が可能となる。さらに、自動取引装置は、広告の表示及びクーポンの発行に対して課金するために、広告の表示件数及びクーポンの発行件数を積算し、管理する。
本発明の保護範囲は、上記の実施の形態に限定されず、特許請求の範囲に記載された発明とその均等物に及ぶものである。
【図面の簡単な説明】
図１は、本発明の実施の形態における自動取引装置及びホストコンピュータのブロック構成図である。
図２は、広告及びクーポンの情報の登録を説明する図である。
図３は、広告及びクーポン情報テーブルの例である。
図４は、広告及びクーポン選択テーブルの例である。
図５は、本発明の実施の形態における広告表示及びクーポン発行処理のフローチャートである。
図６は、取引開始前の初期画面の例である。
図７は、暗証番号入力画面の例である。
図８は、出金金額入力画面の例である。
図９は、待機画面の例である。
図１０は、広告案内画面の例である。
図１１は、広告画面の例である。
図１２は、クーポン画面の例である。
図１３は、取引終了画面の例である。
図１４は、レシート用紙に印刷されたクーポンの例である。
図１５は、利用履歴情報の例である。
図１６は、料金テーブルの例である。
【図１】
2003034356.tif 000003
【図２】
2003034356.tif 000004
【図３】
2003034356.tif 000005
【図４】
2003034356.tif 000006
【図５】
2003034356.tif 000007
【図６】
2003034356.tif 000008
【図７】
2003034356.tif 000009
【図８】
2003034356.tif 000010
【図９】
2003034356.tif 000011
【図１０】
2003034356.tif 000012
【図１１】
2003034356.tif 000013
【図１２】
2003034356.tif 000014
【図１３】
2003034356.tif 000015
【図１４】
2003034356.tif 000016
【図１５】
2003034356.tif 000017
【図１６】
2003034356.tif 000018
【国際調査報告】
2003034356.tif 000019
2003034356.tif 000020
2003034356.tif 000021